(57)【特許請求の範囲】
【請求項１】
機器本体の一つの面に対しスライド移動自在に取り付けられかつ前記一つの面を覆う状態と前記一つの面の少なくとも一部を開放する状態とに亘って移動自在な操作パネルを備えた電子機器において、
前記操作パネルを移動可能とする駆動手段を備え、
前記駆動手段は、
駆動源と、
前記駆動源の駆動力により前記一つの面から前方に移動するスライド部材と、
長手方向の中央部を中心として前記スライド部材に回転自在に支持されかつ前記スライド部材と共に移動可能であるとともに、その一端部が前記操作パネルの下端部を回転自在に支持する支持アームと、
前記機器本体に設けられかつ前記支持アームの他端部を前記支持アームの移動方向に案内する第１のガイド部と、
前記機器本体に設けられかつ操作パネルの上端部を鉛直方向に案内する第２のガイド部と、を備え、
前記第１のガイド部は、前記支持アームが前記一つの面から前方に移動するにしたがってその他端部を徐々に降下させる第１の傾斜部を有し、
前記操作パネルは、前記支持アームの他端部が前記第１の傾斜部により案内されることで、その下端部が前記一つの面から前方へ移動しつつ上昇することにより、その上端部を中心として回転移動することを特徴とする電子機器。
【請求項２】
前記第１のガイド部は、前記第１の傾斜部より前記機器本体の内部側に設けられ、かつ前記支持アームが前記一つの面から前方に移動する際にその他端部を水平方向に案内する水平部を備えたことを特徴とする請求項１に記載の電子機器。
【請求項３】
前記第１のガイド部は、前記第１の傾斜部より前記一つの面寄りに設けられ、かつ前記支持アームが前記一つの面から前方に移動するにしたがって前記他端部を徐々に上昇させる第２の傾斜部を有し、
前記操作パネルは、前記支持アームの他端部が前記第２の傾斜部により案内されることで、前記一つの面を覆う状態から前記一つの面の少なくとも一部を開放する状態とすべく移動されることを特徴とする請求項１又は２に記載の電子機器。
【請求項４】
前記操作パネルが前記一つの面を覆う状態にあるときのみ前記操作パネルを付勢する付勢手段を備えたことを特徴とする請求項１乃至３のうちいずれか一項に記載の電子機器。
【発明の詳細な説明】
【０００１】
【発明の属する技術分野】
本発明は、表示部や各種操作ボタン等を有する操作パネルを備えた移動体としての自動車などに装着される電子機器に関する。
【０００２】
【従来の技術】
移動体としての自動車のインストルメントパネル（以下インパネと呼ぶ）には、電子機器としてのカーステレオ１００（図１２ないし図１５に示す）が取り付けられる。図１２ないし図１５に例示されたカーステレオ１００は、前記インパネに取り付けられる機器本体１０１と液晶ディスプレイ等の表示部１０２やタッチスイッチや押圧ボタン等の操作ボタン１０３を有する操作パネル１０４とを備えている。
【０００３】
機器本体１０１は、ＣＤプレーヤ、ＭＤ（Mini disc）プレーヤやナビゲーション装置を構成するＣＤ−ＲＯＭプレーヤなどの再生装置を内蔵している。操作パネル１０４は、液晶ディスプレイ等の表示部１０２に前記ナビゲーション装置における地図情報や、ＣＤプレーヤ及びＭＤプレーヤの再生状況を示す情報などを表示する。また、操作パネル１０４の操作ボタン１０３は、前記ナビゲーション装置、ＣＤプレーヤ、ＭＤプレーヤの各種機能の動作指令を行う際に操作される。また、操作ボタン１０３は、前記表示部１０２即ち操作パネル１０４の角度を調整する際にも用いられる。
【０００４】
前述したカーステレオ１００は、インパネに装着する際にかかる設置スペースを抑制するために、図１３に示すように、機器本体１０１の使用者に相対する面１０５（以下前面と称する）に前記ＣＤ、ＭＤ、ＣＤ−ＲＯＭなどのディスクを機器本体内に出し入れ自在とする挿入口を設けている。さらに、カーステレオ１００は、図１２及び図１４中に実線で示す前面１０５を覆う位置と、図１３及び図１５中に実線で示す前面１０５の少なくとも一部を開放する位置とに亘って、操作パネル１０４をスライド移動可能としている。
【０００５】
このとき、操作パネル１０４の下端部が前記前面１０５から前方に移動され、またはその前方に移動された下端部が機器本体１０１の内部方向に移動されることで操作パネル１０４の上端部が前記前面１０５に沿ってスライドする。このように、操作パネル１０４をスライドさせて、表示部１０２即ち操作パネル１０４の角度を調整する。尚、操作パネル１０４が前面１０５を覆う位置にあるときは、その前面１０５を囲むフレーム枠内に収容される。
【０００６】
前述したカーステレオ１００は、アーム部材１０６と、ローラ１０７などを備えて、前記操作パネル１０４をスライドさせている。前記アーム部材１０６は、モータなどの駆動源からの駆動力により前記前面１０５から前方に移動し、その前方に移動した状態から機器本体１０１の内部方向に移動するとともに前記操作パネル１０４の下端部を回転自在に支持している。アーム部材１０６は、前記モータの出力軸の回転数と比例した距離、前記前面１０５から前方に移動したり機器本体１０１の内部方向に移動する。ローラ１０７は、操作パネル１０４の上端部に回転自在に設けられかつ機器本体１０１のフレーム枠の両側内壁に形成された溝１０８内に侵入している。前記溝１０８は、鉛直方向に沿って延びている。
【０００７】
前述したカーステレオ１００は、図１３及び図１５中に実線で示す位置で、ＣＤ、ＭＤ、ＣＤ−ＲＯＭなどのディスクを機器本体１０１内に出し入れさせる。ＣＤ、ＭＤ、ＣＤ−ＲＯＭなどのディスクを機器本体１０１内に挿入した後、アーム部材１０６を機器本体１０１の内部方向に移動する。図１２及び図１４に示す前面１０５を覆う位置に操作パネル１０４を移動させる。そして、タッチスイッチや各種の押圧ボタンなどの前述した操作ボタン１０３が操作されると、ＣＤプレーヤ、ＭＤプレーヤ、ＣＤ−ＲＯＭプレーヤなどの再生装置を動作させる。これらプレーヤの再生状況を示す情報を液晶ディスプレイなどの表示部１０２に表示する。又、表示部１０２に表示される情報を見易くするため、使用者は、操作ボタン１０３を１又は複数回操作して図１４の実線で示す位置と図１５の実線で示す位置との間で操作パネル１０４を１又は複数ステップ傾かせて所望する角度（向き）に調整する。
【０００８】
【発明が解決しようとする課題】
前述した従来のカーステレオ１００では、操作ボタン１０３などを操作して、前記操作パネル１０４の角度（向き）を調整する。前記前面１０５を覆う位置から前記前面１０５の少なくとも一部を開放する位置に向かって、操作パネル１０４を移動させる。このとき、操作パネル１０４が傾くにしたがい使用者の指先から操作ボタン１０３が徐々に離れることになる。
【０００９】
このため、前記操作パネル１０４の向きを調整する際には、操作パネル１０４の表面が水平に近づくにしたがって、使用者の指先から前記操作ボタン１０３が徐々に離れる。そうなると、操作パネル１０４の表面が水平に近づくにしたがって、指先を徐々に操作パネル１０４に向って動かす（例えば、腕を伸ばす、または体全体を動かす）必要があり、決して利便性の良いものではなかった。
【００１０】
また、前述した従来のカーステレオ１００は、前記操作パネル１０４にばねなどの付勢手段を取り付けている。この付勢手段は、前記前面１０５を覆う位置と該前面１０５の一部を開放する位置とに亘って、前記ローラ１０７を前記溝１０８の内縁に向かって付勢している。この付勢手段が、前記ローラ１０７を付勢することによって、前記自動車の走行中などの振動などにより前記操作パネル１０４が前記機器本体１０１に対して振動することを防止している。
【００１１】
しかしながら、前述した従来のカーステレオ１００は、付勢手段が前記前面１０５を覆う位置と該前面１０５の一部を開放する位置とに亘って、常にローラ１０７を付勢している。このため、前記ローラ１０７が溝１０８内を移動する際に生じる摩擦力が大きくなっている。このため、前記駆動源に必要とされるトルクが大きくなる傾向であった。このため、消費電力が多くなるとともに前記駆動源自体が大型化して、コストが高騰する傾向であった。
【００１２】
上記した問題点を鑑みてなされた本発明の第１の目的は、操作パネルがスライド自在となる電子機器において、その操作性を向上させることにあり、また、第２の目的は、消費電力を抑制できかつ低コスト化を図ることにある。
【００１３】
【課題を解決するための手段】
第１の目的を達成するために、請求項１に記載の本発明の電子機器は、機器本体の一つの面に対しスライド移動自在に取り付けられかつ前記一つの面を覆う状態と前記一つの面の少なくとも一部を開放する状態とに亘って移動自在な操作パネルを備えた電子機器において、前記操作パネルを移動可能とする駆動手段を備え、前記駆動手段は、駆動源と、前記駆動源の駆動力により前記一つの面から前方に移動するスライド部材と、長手方向の中央部を中心として前記スライド部材に回転自在に支持されかつ前記スライド部材と共に移動可能であるとともに、その一端部が前記操作パネルの下端部を回転自在に支持する支持アームと、前記機器本体に設けられかつ前記支持アームの他端部を前記支持アームの移動方向に案内する第１のガイド部と、前記機器本体に設けられかつ操作パネルの上端部を鉛直方向に案内する第２のガイド部と、を備え、前記第１のガイド部は、前記支持アームが前記一つの面から前方に移動するにしたがってその他端部を徐々に降下させる第１の傾斜部を有し、前記操作パネルは、前記支持アームの他端部が前記第１の傾斜部により案内されることで、その下端部が前記一つの面から前方へ移動しつつ上昇することにより、その上端部を中心として回転移動することを特徴としている。
【００１５】
第１の目的を達成するために、請求項２に記載の本発明の電子機器は、請求項１記載の電子機器において、前記第１のガイド部は、前記第１の傾斜部より前記機器本体の内部側に設けられ、かつ前記支持アームが前記一つの面から前方に移動する際にその他端部を水平方向に案内する水平部を備えたことを特徴としている。
【００１６】
第１の目的を達成するために、請求項３に記載の本発明の電子機器は、請求項１又は２に記載の電子機器において、前記第１のガイド部は、前記第１の傾斜部より前記一つの面寄りに設けられ、かつ前記支持アームが前記一つの面から前方に移動するにしたがって前記他端部を徐々に上昇させる第２の傾斜部を有し、前記操作パネルは、前記支持アームの他端部が前記第２の傾斜部により案内されることで、前記一つの面を覆う状態から前記一つの面の少なくとも一部を開放する状態とすべく移動されることを特徴としている。
【００１７】
前記第１の目的に加え第２の目的を達成するために、請求項４に記載の本発明の電子機器は、請求項１乃至３のうちいずれか一項に記載の電子機器において、前記操作パネルが前記一つの面を覆う状態にあるときのみ前記操作パネルを付勢する付勢手段を備えたことを特徴としている。
【００１８】
請求項１に記載した本発明の電子機器によれば、駆動手段により、機器本体の一つの面を覆う状態では操作パネルが上端部を中心として回転自在とされる。このため、操作パネルの向き（角度）を調整する際に、操作パネルの表面を使用者の指先に近づかせることができる。
【００１９】
なお、本明細書に記した前方とは、前記一つの面に対し直交しかつ前記一つの面から操作パネルを操作する使用者に向かう方向である。さらに、本明細書に記した機器本体の内部方向とは、前記一つの面に対し直交しかつ前記使用者即ち一つの面から離れる方向である。
【００２０】
一端部が操作パネルの下端部を支持する支持アームが、中央部を中心として回転自在に支持されている。また、支持アームは、駆動源により一つの面から前方に移動される。一つの面を覆う状態では、操作パネルが上端部を中心として回転自在とされる。支持アームの他端部を案内する第１のガイド部が、支持アームが一つの面から前方に移動するにしたがって支持アームの他端部を徐々に降下させる第１の傾斜部を備えている。
【００２１】
このため、機器本体の一つの面を覆う状態で、支持アームを一つの面から前方に移動させると、支持アームの他端部が徐々に降下して一端部が徐々に上昇する。このため、簡易な構成により、操作パネルを上端部を中心として回転させることができる。
【００２２】
請求項２に記載した本発明の電子機器によれば、水平部が第１の傾斜部より機器本体の内部側に設けられかつ支持アームの他端部を水平方向に案内する。このため、操作パネルを傾ける際に、操作パネルが一旦機器本体から水平前方に移動され、操作パネルの上端部が若干鉛直方向に降下される。このため、操作パネルの上端部を中心として回転する際に、該上端部と機器本体とが干渉することを防止できる。
【００２３】
請求項３に記載した本発明の電子機器によれば、一つの面を覆う状態から該一つの面の少なくとも一部を開放する状態に向かって操作パネルが移動する際に、操作パネルの上端部が一つの面に沿ってスライド自在となる。支持アームの他端部を案内する第１のガイド部が、支持アームが一つの面から前方に移動するにしたがって支持アームの他端部を徐々に上昇させる第２の傾斜部を備えている。この第２の傾斜部は、第１の傾斜部より機器本体の一つの面寄りに配されている。
【００２４】
このため、操作パネルが機器本体の一つの面を覆う状態から該一つの面の少なくとも一部を開放する状態に向かって、支持アームを一つの面から前方に移動させると、支持アームの他端部が徐々に上昇して一端部が徐々に降下する。このため、操作パネルの下端部が一つの面から前方に移動するにしたがって徐々に降下するとともに、操作パネルの上端部が一つの面に沿って徐々に降下する。このため、操作パネルは、一つの面の少なくとも一部を確実に開放できる。
【００２５】
請求項４に記載した本発明の電子機器によれば、付勢手段が一つの面を覆う状態の操作パネルを付勢する。このため、操作パネルなどに設けられる表示部などに各種の情報を表示したり操作パネルなどに設けられる各種のスイッチなどを操作する際に、自動車の走行中などに生じる振動により、操作パネルが機器本体に対して振動することを防止できる。
【００２６】
また、操作パネルが一つの面を覆う状態にあるときのみ、付勢手段が操作パネルを付勢する。このため、操作パネルが一つの面を覆う状態から該一つの面の少なくとも一部を開放する状態に向かって移動する際に、該操作パネルの移動を妨げる摩擦力を抑制できる。
【００２７】
【発明の実施の形態】
本発明の一実施形態にかかる電子機器としての多機能電子機器１を図１乃至図１１を参照して説明する。図１などに示す多機能電子機器１は、移動体としての自動車のインストルメントパネルに装着される。
【００２８】
多機能電子機器１は、図１ないし図３に示すように、機器本体２と、操作パネルとしての操作表示ユニット３と、操作表示ユニット３を図１に示す第１の位置と図２に示す第２の位置と図３に示す第３の位置とに亘って移動させる駆動手段としての駆動機構４（図４などに示す）と、を備えている。なお、以下図１中矢印Ｚで示す方向を機器本体２の前方と呼ぶ。この矢印Ｚは、後述の前面１０ａに直交しかつ前記前面１０ａから操作表示ユニット３などを操作する自動車の乗員（以下使用者と呼ぶ）に向かう方向である。
【００２９】
機器本体２は、図４に示す箱状に形成されたシャーシ１０と、図３中手前に位置するシャーシ１０の前方に設けられた一つの面としての前面１０ａと、このシャーシ１０内に収容されるＣＤプレーヤ６等の再生装置とを備え、操作表示ユニット３を前面１０ａに対しスライド移動させる駆動機構４（図４に示す）を収容している。
【００３０】
シャーシ１０は、図４に示すように、底壁１１と、該底壁１１の周縁から立設しかつ前記前面１０ａに連なる一対の側壁１２などを備えている。一対の側壁１２は、シャーシ１０の幅方向に沿って、互いに相対する。
【００３１】
また、シャーシ１０は、前面１０ａにはその全ての辺に立設するように一体成形された複数の立設壁１０ｃを備え、操作表示ユニット３が第１の位置にあるときには、複数の立設壁１０ｃによって形成された空間領域に収容されている。
【００３２】
図示例では、再生装置としてＣＤプレーヤ６、ＭＤプレーヤ７、ナビゲーション装置を構成するＣＤ−ＲＯＭプレーヤ８とがシャーシ１０内に収容されている。なお、図示してないが、ラジオ放送を受信するＡＭ／ＦＭチューナ等やテレビ放送波を受信するテレビチューナ等を収容しても良い。これらの再生装置や受信装置は、例えば、操作表示ユニット３に設けられた後述する押しボタン１９等を使用者が押圧することによって動作する。
【００３３】
前面１０ａには、図３に示すように、前記ＭＤプレーヤ７にＭＤを挿入する挿入口２０と、ＣＤプレーヤ６及びＣＤ−ＲＯＭプレーヤ８にＣＤ及びＣＤ―ＲＯＭを挿入する挿入口２１ａ及び挿入口２１ｂとが設けられている。
【００３４】
さらに、ガイド溝１７が形成された立設壁１０ｃと前面１０ａとは、図１０に示すように、互いに別体に形成されている。立設壁１０ｃと前面１０ａとが互いに固定されるなどして、前述した機器本体２が組立られる。立設壁１０ｃと前面１０ａとの間には、ねじりスプリング２２が設けられている。ねじりスプリング２２は、図７ないし図９に示すように、リング状の円環部２３と、この円環部２３から外周方向に向って延びた付勢手段としての一端部２４と、円環部２３から外周方向に向って延びた他端部２５とを一体に備えている。ねじりスプリング２２は、ローラ１８の背面側に配される。ねじりスプリング２２の一端部２４は、ローラ１８の後述する凹溝２６（図１１に示す）内に侵入可能である。
【００３５】
ねじりスプリング２２の一端部２４は、操作表示ユニット３が第１の位置と第２の位置、及び第１の位置と第２の位置との間にあるときは、ローラ１８の凹溝２６と接触して、該ローラ１８即ち操作表示ユニット３を機器本体２の外方向に向って付勢する。また、ねじりスプリング２２は、操作表示ユニット３が第２の位置と第３の位置の間、及び第３の位置にあるときは、ローラ１８の凹溝２６即ち操作表示ユニット３と間隔をあけて接触しないとともに、ローラ１８即ち操作表示ユニット３を付勢しない。
【００３６】
駆動機構４は、操作表示ユニット３の後述の下端部３ａを前面１０ａから前方に移動させかつ下端部３ａまたは後述の上端部３ｂを中心として、操作表示ユニット３の後述の表示部５の表面５ａが上方に向くように傾かせる（向きを変更する）機構である。駆動機構４は、図４に示すように、駆動源としてのモータ２７と、複数の駆動歯車２８と、回転部材としてのカム歯車２９と、アーム部材３０と、スライド部材としてのスライドフレーム３１及び支持アーム３２と、第１のガイド部としてのガイド孔１３を有するガイド部材４０と、第２のガイド部としてのガイド溝１７（図１ないし図３などに示す）とを備えている。
【００３７】
モータ２７は、シャーシ１０の底壁１１に固定されている。モータ２７の出力軸にはウォーム３３が取付けられている。複数の駆動歯車２８は、それぞれ、シャーシ１０の底壁１１に回転自在に支持されている。駆動歯車２８は互いにかみ合っている。
【００３８】
駆動歯車２８のうち一つは、ウォーム３３とかみ合っているとともに、他はカム歯車２９とかみ合っている。駆動歯車２８は、モータ２７の駆動力をカム歯車２９に伝える。カム歯車２９は、円盤状に形成されかつシャーシ１０の底壁１１に回転自在に設けられている。このため、カム歯車２９は、勿論モータ２７の駆動力により回転する。
【００３９】
カム歯車２９には、所定の形状を有する孔３４が形成されている。孔３４は、カム歯車２９の表面２９ａからその裏面に亘って貫通している。孔３４は、カム歯車２９の回転中心から該カム歯車２９の外縁に向って延びて、平面形状が円弧状に形成されている。なお、カム歯車２９の回転中心から外縁に向って延びた円弧状は、本明細書に記した所定の形状である。孔３４は、回転中心から外縁に向かうにしたがって曲率半径ｒ１，ｒ２，ｒ３（図５に示す）が徐々に大きくなっている。
【００４０】
孔３４の内側にアーム部材３０の後述する突起部３５が侵入する。孔３４は、使用者による操作表示ユニット３の角度調整のための操作に応じて操作表示ユニット３が前述した第１の位置から第２の位置を経て第３の位置に変位する際に、後述する表示部５の表面５ａと前面１０ａとのなす角度の変化率が一定となる形状に形成されている。即ち、前記表面５ａと前面１０ａとのなす角の単位時間あたりの変化率（角速度）が、一定となる形状に、孔３４は形成されている。
【００４１】
カム歯車２９の表面２９ａには、その外縁近傍に角度調整部５０が取付けられている。この角度調整部５０は、カム歯車２９の表面２９ａから上方に延在した複数の遮断部５１，５１…が設けられている。これらの複数の遮断部５１はカム歯車２９の周方向に沿って所定の間隔をあけて配されている。角度調整部５０は、図示せぬ光センサからの光を遮断部５１が遮断することによりカム歯車２９の回転角度を調整する。つまり、使用者が操作表示ユニット３の傾く角度を調整するための操作を行う度に、モータ２７からの駆動力を受けたカム歯車２９の回転角度を調整する。例えば、使用者が操作表示ユニット３の角度を調整するための押しボタン１９のうちの操作ボタンを１回操作すると、光センサからの光を遮断部５１が２つ遮断したことを検出してその回転を止める。そして、そのカム歯車２９の回転角度に応じて、操作表示ユニット３を所定角度傾かせる。
【００４２】
アーム部材３０は、板金などからなり帯状に形成されている。アーム部材３０は、一端がシャーシ１０の底壁１１に回転自在に設けられている。アーム部材３０の他端には、長孔３６が形成されている。長孔３６の長手方向は、アーム部材３０の長手方向と平行である。アーム部材３０の中央部は、カム歯車２９の表面２９ａに重ねられる。アーム部材３０の中央部には孔３４内に侵入する突起部３５を設けている。アーム部材３０は、カム歯車２９が回転すると一端を中心として回転する。又、長孔３６内には、後述の突起３７が侵入する。このため、アーム部材３０の他端はスライドフレーム３１と連結されている。
【００４３】
スライドフレーム３１は、シャーシ１０の底壁１１に重ねられている。スライドフレーム３１は、前記前面１０ａを通して機器本体２から突出する方向と前面１０ａに没する方向に沿って移動可能となるように、シャーシ１０即ち機器本体２に設けられている。なお、前面１０ａを通して機器本体２から突出する方向とは、前面１０ａから矢印Ｚに沿って前方に向かう方向である。前面１０ａに没する方向とは、図１中の矢印Ｘに沿って機器本体２の内部に向かう方向である。矢印Ｘは、前面１０ａに直交しかつ使用者即ち前面１０ａから離れる方向である。矢印Ｘは、機器本体２の内部に向かう方向（内部方向と呼ぶ）をなしている。
【００４４】
スライドフレーム３１には、アーム部材３０の長孔３６内に侵入する突起３７が設けられている。スライドフレーム３１は、カム歯車２９が回転すると、図５中実線で示す前記前面１０ａに没して機器本体２内に収容された位置と、図６中実線で示す前記前面１０ａを通して前面１０ａから前方に移動して機器本体２外に突出した位置と、に亘ってスライドする。
【００４５】
一対の支持アーム３２は、スライドフレーム３１の幅方向の両縁に支持されている。支持アーム３２の一端部３２ａは、操作表示ユニット３の下端部３ａを回転自在に支持している。
【００４６】
支持アーム３２は、平面形状がく字状に形成されている。支持アーム３２は、長手方向の中央部を中心として回転自在にスライドフレーム３１の両縁に支持されている。このため、支持アーム３２は、スライドフレーム３１を介してシャーシ１０即ち機器本体２に、長手方向の中央部を中心として回転自在に支持されている。
【００４７】
また、支持アーム３２は、前面１０ａから矢印Ｚに沿って前方に移動したり、前方に移動した状態から矢印Ｘに沿って機器本体２の内部方向にスライド自在にシャーシ１０即ち機器本体２に支持されている。さらに、支持アーム３２は、モータ２７の駆動力により、後述するように前面１０ａから矢印Ｚに沿って前方に移動されたり、前方に移動した状態から矢印Ｘに沿って機器本体２の内部方向に移動される。支持アーム３２は、長手方向がスライドフレーム３１のスライド方向に沿いかつ長手方向の両端に近づくのにしたがって徐々に底壁１１から離れる状態で配される。
【００４８】
支持アーム３２の他端部３２ｂには、図７ないし図９に示すように、ガイド孔１３内に侵入するガイドローラ３８が設けられている。ガイドローラ３８は、ガイド孔１３内を移動自在である。このため、支持アーム３２の他端部３２ｂは、ガイド孔１３により前記支持アーム３２の移動方向に案内される。
【００４９】
なお、これらのカム歯車２９と、孔３４と、アーム部材３０と、突起部３５と、スライド部材３１などを備えて、駆動機構４は、操作表示ユニット３の前面１０ａに対して傾く際の角度を一定とすべく、下端部３ａを前面１０ａから前方に移動させるにしたがってその移動速度を徐々に遅くする構成となっている。
【００５０】
ガイド部材４０は、一対設けられ（図４中には一方のみ示す）、シャーシ１０の側壁１２に取り付けられている。ガイド部材４０は、シャーシ１０の幅方向に沿って、互いに間隔をあけて相対している。ガイド部材４０は、側壁１２の内側に配されている。ガイド部材４０は、図７ないし図９に示す第１のガイド部としてのガイド孔１３を備えている。このため、ガイド孔１３は、機器本体２に設けられている。ガイド孔１３は、前面１０ａから離れた側から前面１０ａに向って、水平部としての直線部１４と、第１の傾斜部１５と、第２の傾斜部１６とを順に配している。
【００５１】
直線部１４は、底壁１１に沿って直線状に延びた長孔形状に形成されている。このため、直線部１４は、水平方向に沿って延びている。第１の傾斜部１５は、直線部１４と連通している。第１の傾斜部１５は、直線部１４より前面１０ａ寄りに設けられている。このため、直線部１４は、第１の傾斜部１５より前面１０ａから離れた側即ち機器本体２の内部側に設けられている。直線部１４は、支持アーム３２が前面１０ａから前方に移動する際に、ガイドローラ３８即ち他端部３２ｂを水平方向に案内する。第１の傾斜部１５は、直線部１４から離れるのにしたがって即ち前面１０ａに近づくのにしたがって徐々に底壁１１に近づく方向に傾斜している。このため、第１の傾斜部１５は、支持アーム３２が前面１０ａから前方に移動するのしたがって、ガイドローラ３８即ち支持アーム３２の他端部３２ｂを徐々に降下させる。
【００５２】
第２の傾斜部１６は、第１の傾斜部１５より前面１０ａ寄りに設けられている。第２の傾斜部１６は、第１の傾斜部１５に連通している。第２の傾斜部１６は、第１の傾斜部１５から離れるのにしたがって即ち前面１０ａに近づくのにしたがって徐々に底壁１１から離れる方向に傾斜している。このため、第２の傾斜部１６は、支持アーム３２が前面１０ａから前方に移動するにしたがってガイドローラ３８即ち支持アーム３２の他端部３２ｂを徐々に上昇させる。
【００５３】
ガイド溝１７は、前述した空間領域内に収容された操作表示ユニット３の両側に位置する立設壁１０ｃの内面に形成されている。このため、ガイド溝１７は、シャーシ１０即ち機器本体２に設けられている。ガイド溝１７は、立設壁１０ｃの内面から凹に形成されている。ガイド溝１７の長手方向は、前面１０ａ即ち鉛直方向に沿っている。このガイド溝１７には、後述する操作表示ユニット３の両側面上方に突設したローラ１８が摺動可能に係合される。このため、ガイド溝１７は、操作表示ユニット３のローラ１８即ち上端部３ｂを鉛直方向に案内する。
【００５４】
前述した構成の駆動機構４は、図１及び図７に示す第１の位置では、図５中実線で示すように、突起部３５が孔３４のカム歯車２９の回転中心寄りの端部に位置しかつスライドフレーム３１が前面１０ａに没して機器本体２内に収容されている。さらに、支持アーム３２のガイドローラ３８が、ガイド孔１３の直線部１４の前面１０ａから離れた側の端部に位置している。
【００５５】
第１の位置から前述した第２の位置に向って移動する際には、まず、モータ２７がカム歯車２９を図５中の矢印Ｋに沿って回転させる。すると、カム歯車２９が回転するのに連動して、突起部３５がカム歯車２９の回転中心寄りの端部から外縁に向って孔３４内を移動する。すると、アーム部材３０が一端を中心として、他端が前面１０ａに近づく方向に回転する。そして、長孔３６内を突起３７が移動するなどして、スライドフレーム３１が図５中に実線で示す位置から二点鎖線で示す位置に向って、前面１０ａから矢印Ｚに沿って前方に移動する。
【００５６】
すると、支持アーム３２がスライドフレーム３１とともに、前面１０ａから矢印Ｚに沿って前方に移動する。このとき、まず、ガイドローラ３８が直線部１４内を前面１０ａに向って移動する。その後、ガイドローラ３８が第１の傾斜部１５内を前面１０ａに向って移動する。そして、図２及び図８に示す第２の位置に変位する。第２の位置では、ガイドローラ３８は、ガイド孔１３の第１の傾斜部１５と第２の傾斜部１６との間に位置している。
【００５７】
さらに、モータ２７が駆動して、カム歯車２９を矢印Ｋに向って回転すると、図６中に二点鎖線で示す位置から実線で示す位置に向って、突起部３５が孔３４のカム歯車２９の回転中心寄りの端部から外縁寄りの端部に向って移動する。そして、スライドフレーム３１が前面１０ａからより前方に移動する。さらに、支持アーム３２のガイドローラ３８が、ガイド孔１３の第２の傾斜部１６内を移動して前面１０ａに近づく。こうして、駆動機構４は、第１の位置から前述した第２の位置を経て第３の位置に変位する。また、第３の位置から第２の位置を経て第１の位置に変位する際には、駆動機構４は、モータ２７を逆方向に回転させることにより、前述の記載と逆の動きをする。
【００５８】
こうして、各支持アーム３２が前面１０ａから前方に移動したり、前面１０ａから前方に移動した位置から機器本体２の内部方向に移動する。なお、前述した第１の位置から第２の位置を経て第３の位置に移動する際には、前記孔３４内を突起部３５が移動しかつ曲率半径ｒ１，ｒ２，ｒ３が前述したように形成されているので、カム歯車２９の回転に連動してアーム部材３０を回転させることで、前記スライドフレーム３１即ち操作表示ユニット３の下端部３ａを前面１０ａから前方に移動させる。カム歯車２９の回転に伴い突起部３５が孔３４内を移動することで、アーム部材３０の回転速度を徐々に遅くさせる。そして、カム歯車２９の回転する角度に対しスライドフレーム３１即ち下端部３ａが前方に移動する距離が徐々に減少する。
【００５９】
例えば、図５中の実線で示す位置から二点鎖線で示す位置に移動する際には、カム歯車２９が角度θ度回転すると、スライドフレーム３１が距離Ｌ１移動する。図６中の二点鎖線で示す位置から実線で示す位置に移動する際には、カム歯車２９が角度θ度回転すると、スライドフレーム３１が距離Ｌ２移動する。距離Ｌ１は距離Ｌ２より長い。このように、スライドフレーム３１即ち操作表示ユニット３の下端部３ａが前面１０ａから前方に移動するにしたがって、スライドフレーム３１即ち操作表示ユニット３の下端部３ａが移動する速度が徐々に遅くなる。
【００６０】
また、各支持アーム３２がシャーシ１０の内外方向に移動することで、操作表示ユニット３の両側面上方に設けられたローラ１８がガイド溝１７に沿って摺動する。すなわち、モータ２７からの駆動力を受けて各支持アーム３２がシャーシ１０の外方向に移動することにより操作表示ユニット３は、その表示部５の表面５ａが上方に向くように傾かされる。さらに、シャーシ１０の前面１０ａの少なくとも一部を開放する位置（図３に示す）に移動される。また、支持アーム３２がシャーシ１０の内方向（機器本体２の内部方向）に移動することにより、傾かされた操作表示ユニット３は前面１０ａを覆う位置（図１に示す）に移動され、ローラ１８はガイド溝１７の上端部に位置付けられる。
【００６１】
操作表示ユニット３は、液晶ディスプレイ（ＬＣＤ：Liquid Crystal Display）などからなる画像情報等を表示する表示部５を備えている。表示部５の表面５ａは、操作表示ユニット３の前面をなしている。操作表示ユニット３は、表示部５に、ＣＤ−ＲＯＭプレーヤによって再生された地図情報や、テレビチューナが受信したテレビ放送波の映像等を表示する。
【００６２】
操作表示ユニット３は、駆動機構４により前面１０ａに対してスライド自在に機器本体２に取り付けられている。また、操作表示ユニット３は、その表面に押しボタン１９を複数設けている。押しボタン１９は、使用者により図１中矢印Ｘで示す方向に押圧されることにより操作される。これらの押しボタン１９が操作されることにより、シャーシ１０の内部に収容された各種再生装置等が動作するとともに、操作表示ユニット３がスライド移動される。
【００６３】
例えば、押しボタン１９のうちの選択ボタン（例えば、ＣＤ、ＭＤ等を選択するためのボタン）やＯＰＥＮボタンが押圧操作されると、操作表示ユニット３が駆動機構４により前面１０ａに対してスライド移動される。すなわち、選択ボタンによりＭＤが選択されると、駆動機構によって操作表示ユニット３がシャーシ１０の前面１０ａに形成された挿入口２０のみを開放する位置までスライド移動される。また、ＯＰＥＮボタンが押圧操作されることにより、シャーシ１０の前面１０ａに形成されたすべての挿入口（挿入口２０、挿入口２１ａ及び挿入口２１ｂ）が開放される位置までスライド移動される。
【００６４】
そして、ＣＤやＭＤ等の所望のディスクが挿入口２０及び挿入口２１ａ，２１ｂから挿入又は排出されると、操作表示ユニット３は、駆動機構４により自動的にシャーシ１０の前面１０ａを覆う位置（挿入口２０及び挿入口２１ａ，２１ｂを覆い隠す位置）まで移動される。なお、シャーシ１０の前面１０ａを開放した状態で所望のディスクが挿入されると、操作表示ユニット３は自動的にその前面１０ａを覆う位置に移動され、例えば、使用者が押しボタン１９のうち再生（プレイ）ボタンやサーチボタン等を操作することによりそのディスクの再生や、サーチ動作等が行われる。
【００６５】
また、例えば、押しボタン１９のうちアングルボタンが押圧操作されると、操作表示ユニット３の傾く角度が調整される。使用者が所望する角度に操作表示ユニット３を傾かせようとしてアングルボタンを１回押圧操作すると、その操作に応じてモータ２７の駆動力によりカム歯車２９が回転する。そして、角度調整部５０における２つの遮断部５１が光センサからの光を遮断した場合、モータ２７の駆動が停止し、カム歯車２９の回転が止まる。そして、その回転角度に応じて操作表示ユニット３が所定角度傾く。続けて使用者がアングルボタンを押圧操作すると、カム歯車２９が更に回転して２つの遮断部５１が光センサからの光を遮断し、その回転角度に応じて操作表示ユニット３がさらに所定角度傾く。
【００６６】
なお、これらのスライド移動は、図示せぬマイコン等が駆動機構４のモータ２７の回転方向や回転数を制御することにより行われる。このマイコンは、モータ２７に対し常に一定の駆動電圧を出力させるように制御する。すなわち、使用者による選択ボタンの操作や、ＯＰＥＮボタンの操作、及びアングルボタンの操作の各々の操作毎にモータ２７の回転数を変化させることなく、常に一定の回転数となるように制御する。従って、そのモータ２７からの駆動力により回転されるカム歯車２９の回転速度も一定となり、操作表示ユニット３はモータ２７から出力される一定の駆動力により回転されることになる。このため、モータ２７は、一定の駆動力を出力して、下端部３ａを前面１０ａから前方に移動させるための駆動力をカム歯車２９などに与える。
【００６７】
操作表示ユニット３の両側面の下端部３ａは、支持アーム３２に支持されている。支持アーム３２が前述したようにモータ２７の駆動力により前面１０ａから前方に移動し、その前方に移動した状態から機器本体２の内部方向に移動するので、操作表示ユニット３の下端部３ａは前方に移動し、その前方に移動した状態から機器本体２の内部方向に移動する。
【００６８】
ローラ１８は、円盤状に形成されかつ操作表示ユニット３の両側面の上端部３ｂに軸芯周りに回転自在に設けられている。ローラ１８は、前述したガイド溝１７に係合して、軸芯周りに回転することでガイド溝１７に沿って移動自在に設けられている。このため、操作表示ユニット３の上端部３ｂは、前面１０ａに沿って移動する。なお、ローラ１８は、ガイド溝１７に沿って滑らかに摺動すべく該ガイド溝１７に対して極僅かな隙間をもって係合されている。また、ローラ１８は、操作表示ユニット３の側面から突出している。
【００６９】
また、ローラ１８の外周面１８ａには、凹溝２６が形成されている。凹溝２６は、ローラ１８の外周面１８ａから凹に形成されており、ローラ１８の周方向に沿って延びている。凹溝２６は、ローラ１８の全周に亘って形成されている。凹溝２６内には、ねじりスプリング２２の一端部２４が侵入可能である。
【００７０】
前述した構成の多機能電子機器１は、ＭＤ、ＣＤやＣＤ−ＲＯＭを機器本体２内に挿入して、ＭＤ、ＣＤやＣＤ−ＲＯＭの再生を行ったり、表示部５で地図情報やテレビ放送波の映像を表示する。このとき、使用者が図１に示す第１の位置と図２に示す第２の位置とに亘って、操作表示ユニット３を変位させて表示部５の向きを調整する。
【００７１】
図１に示す第１の位置では、操作表示ユニット３が前面１０ａを覆っている。そして、図５中実線で示すように、突起部３５が孔３４のカム歯車２９の回転中心寄りの端部に位置しかつスライドフレーム３１が前面１０ａに没して機器本体２内に収容されている。さらに、図７に示すように、支持アーム３２のガイドローラ３８が、ガイド孔１３の直線部１４の前面１０ａから離れた側の端部に位置している。
【００７２】
図１に示す第１の位置から図２に示す第２の位置に向って操作表示ユニット３を移動する際には、まず、モータ２７がカム歯車２９を回転させ、カム歯車２９が回転するのに連動して、突起部３５がカム歯車２９の外縁に向って孔３４内を移動する。すると、アーム部材３０が一端を中心として、他端が前面１０ａに近づく方向に回転する。そして、長孔３６内を突起３７が移動するなどして、スライドフレーム３１が前面１０ａから前方に移動する。
【００７３】
すると、支持アーム３２がスライドフレーム３１とともに、前面１０ａから前方に移動する。まず、ガイドローラ３８が直線部１４内を前面１０ａに向って移動する。このため、操作表示ユニット３の下端部３ａが底壁１１に沿って移動して前面１０ａから前方に移動するとともに、上端部３ｂ即ちローラ１８がガイド溝１７及び前面１０ａ即ち鉛直方向に沿って、底壁１１に向って移動（降下）する。その後、ガイドローラ３８が第１の傾斜部１５内を前面１０ａに向って移動する。第１の傾斜部１５が徐々に底壁１１に近づく方向に傾斜しているので、ガイドローラ３８即ち他端部３２ｂが徐々に底壁１１に近づいて、降下する。
【００７４】
支持アーム３２が中央部を中心としてスライドフレーム３１に回転自在に支持されているので、支持アーム３２の一端部３２ａ即ち操作表示ユニット３の下端部３ａが徐々に上昇する。そして、操作表示ユニット３は、表示部５の表面５ａを上方に向けて、あたかもローラ１８即ち上端部３ｂを中心として回転する（傾く）。このため、第１の位置と、第２の位置と、第１の位置と第２の位置との間では、操作表示ユニット３は、ガイドローラ３８即ち支持アーム３２の他端部３２ｂが第１の傾斜部１５により案内されることで、ローラ１８即ち上端部３ｂを中心として回転自在に支持される。
【００７５】
そして、図２及び図８に第２の位置に変位する。第２の位置では、図２中の矢印Ｘ（使用者）からみて、操作表示ユニット３が前面１０ａを覆っている。第２の位置では、ガイドローラ３８は、第１の傾斜部１５と第２の傾斜部１６との間に位置している。こうして、第１の位置と第２の位置とに亘って、下端部３ａが前面１０ａから前方に移動又は前方に移動した状態から機器本体２の内部方向に移動して、上端部３ｂが前面１０ａに沿ってスライドして、操作表示ユニット３が上端部３ｂを中心として回転する。
【００７６】
このように、表示部５の表面５ａが上方に向くように、操作表示ユニット３が傾く。前述した第１の位置と、第２の位置と、第１の位置と第２の位置との間とに、操作表示ユニット３が位置する状態は、本明細書に記した前面（一つの面）１０ａを覆う状態をなしている。
【００７７】
第１の位置と第２の位置の間では、ねじりスプリング２２の一端部２４は、凹溝２６に接触しているとともにローラ１８即ち操作表示ユニット３を付勢している。また、前述した第１の位置から第２の位置に向って変位する（操作表示ユニット３が上端部３ｂを中心として回転する）際には、スライドフレーム３１が前面１０ａから前方に移動する速度が徐々に遅くなっている。このため、表示部５の表面５ａが傾く角度の変化率が一定となる。
【００７８】
多機能電子機器１は、ＭＤ、ＣＤやＣＤ−ＲＯＭを機器本体２内に挿入したり、これらを機器本体２外に排出する際には、操作表示ユニット３を図３に示す第３の位置に移動させる。
【００７９】
第２の位置から第３の位置に操作表示ユニット３が移動する際には、モータ２７が駆動して、カム歯車２９を更に矢印Ｋに向って回転する。突起部３５が孔３４のカム歯車２９の外縁寄りの端部に向って移動する。そして、アーム部材３０が一端を中心として更に回転して、スライドフレーム３１即ち操作表示ユニット３の下端部３ａが前面１０ａから更に前方に移動する。
【００８０】
さらに、支持アーム３２のガイドローラ３８が、ガイド孔１３の第２の傾斜部１６内を移動して前面１０ａに近づく。前面１０ａに近づくのにしたがって、第２の傾斜部１６が底壁１１から徐々に離れる方向に傾斜しているので、ガイドローラ３８即ち他端部３２ｂが底壁１１から徐々に離れて降下する。そして、支持アーム３２が中央部を中心として回転自在に支持されているので、操作表示ユニット３の下端部３ａが徐々に下方に変位する。
【００８１】
さらに、操作表示ユニット３の下端部３ａが前面１０ａから前方に移動するので、ローラ１８即ち操作表示ユニット３の上端部３ｂが前面１０ａに沿って移動して底壁１１に近づいて降下する。このため、ガイド溝１７は、前記前面１０ａを覆う状態から、後述する前面１０ａの少なくとも一部を開放する状態に向かって操作表示ユニット３を移動させる際に、操作表示ユニット３の上端部３ｂを前面１０ａに沿ってスライド自在に支持する。
【００８２】
こうして、操作表示ユニット３が第２の位置から第３の位置に変位する際には、下端部３ａを中心として回転し、前記挿入口２０及び挿入口２１ａ，２１ｂを開放する。即ち、操作表示ユニット３は、前面１０ａの一部を外部に露出させて開放する。前述した第２の位置と第３の位置との間と、第３の位置とに、操作表示ユニット３が位置する状態は、本明細書に記した前面（一つの面）１０ａの少なくとも一部を開放する状態をなしている。こうして、操作表示ユニット３は、ガイドローラ３８すなわち支持アーム３２の他端部３２ｂが第２の傾斜部１６により案内されることで、前面１０ａを覆う状態から前面１０ａの少なくとも一部を開放する状態とすべく移動される。さらに、操作表示ユニット３が第２の位置から第３の位置に変位すると、ねじりスプリング２２の一端部２４がローラ１８と間隔をあける。このため、操作表示ユニット３が前面１０ａを覆う状態にあるときのみ、ねじりスプリング２２の一端部２４はローラ１８即ち操作表示ユニット３を付勢する。
【００８３】
駆動機構４は、下端部３ａ又は上端部３ｂを中心として回転させて、表示部５の表面５ａが上方に向くように、操作表示ユニット３を傾かせる。また、第３の位置から第２の位置を経て第１の位置に変位する際には、モータ２７を逆方向に回転させることにより、前述の記載と逆の動きをする。こうして、前記前面１０ａを覆う状態において、駆動機構４は、上端部３ｂを中心として操作表示ユニット３を回転させて、該操作表示ユニット３の向きを変更可能とする。また、アングルボタンの操作により、操作表示ユニット３の向きが複数ステップ変更（調整）される。駆動機構４は、前面１０ａを覆う状態から前面１０ａの少なくとも一部を開放する状態に向かって操作表示ユニット３を移動させる際に、操作表示ユニット３の上端部３ｂと下端部３ａとの双方を降下させる。
【００８４】
本実施形態によれば、一端部３２ａで操作表示ユニット３の下端部３ａを支持する支持アーム３２が、中央部を中心として回転自在に支持されている。支持アーム３２は、モータ２７により前面１０ａから前方に移動されたり前方に移動した状態から機器本体２の内部方向に移動される。前面１０ａを覆う状態では、操作表示ユニット３が上端部３ｂを中心として回転自在とされる。支持アーム３２の他端部３２ｂをその移動方向に案内するガイド孔１３には、支持アーム３２が前面１０ａから前方に移動するにしたがって支持アーム３２の他端部３２ｂを徐々に降下させる第１の傾斜部１５が備えられている。
【００８５】
このため、機器本体２の前面１０ａを覆う状態で、支持アーム３２を前面１０ａから前方に移動させると、支持アーム３２の他端部３２ｂが徐々に降下して一端部３２ａが徐々に上昇する。このため、簡易な構成により、操作表示ユニット３を上端部３ｂを中心として回転させることができる。
【００８６】
このため、操作表示ユニット３を向き（角度）を調整する際に、操作表示ユニット３の表示部５の表面５ａを使用者の指先に近づかせることができる。このため、操作表示ユニット３の向きを調整する際に、指先を操作表示ユニット３に向かって動かす必要がなくなる。従って、操作表示ユニット３の操作性が向上する。
【００８７】
また、直線部１４が第１の傾斜部１５より機器本体２の内部側に設けられかつ支持アーム３２の他端部３２ｂを水平方向に沿って移動させる。このため、操作表示ユニット３を傾ける際に、操作表示ユニット３の下端部３ａが一旦機器本体２から水平前方に移動され、操作表示ユニット３の上端部３ｂが若干鉛直方向に降下される。こうすることで、操作表示ユニット３の上端部３ｂを中心として回転する際に、該上端部３ｂと機器本体２とが干渉することを防止できる。したがって、操作表示ユニット３の向きを容易に調整できることにくわえ、操作表示ユニット３の向きを確実に変更できる。
【００８８】
さらに、前面１０ａを覆う状態から該前面１０ａの少なくとも一部を開放する状態に向かって操作表示ユニット３が移動する際に、操作表示ユニット３の上端部３ｂが前面１０ａに沿ってスライド自在となる。ガイド孔１３が、支持アーム３２が前面１０ａから前方に移動するにしたがって支持アーム３２の他端部３２ｂを徐々に上昇させる第２の傾斜部１６を備えている。この第２の傾斜部１６は、第１の傾斜部１５より機器本体２の前面１０ａ寄りに配されている。
【００８９】
このため、操作表示ユニット３が機器本体２の前面１０ａを覆う状態から該前面１０ａの少なくとも一部を開放する状態に向かって、支持アーム３２を前面１０ａから前方に移動させると、支持アーム３２の他端部３２ｂが徐々に上昇して一端部３２ａが徐々に降下する。このため、操作表示ユニット３の下端部３ａが前面１０ａから前方に移動するにしたがって徐々に降下するとともに、操作表示ユニット３の上端部３ｂが前面１０ａに沿って徐々に降下する。したがって、操作表示ユニット３は、前面１０ａの少なくとも一部をより一層確実に開放でき、機器本体２内にＣＤ、ＭＤ、ＣＤ―ＲＯＭを確実に挿入できるとともに、機器本体２内からＣＤ、ＭＤ、ＣＤ―ＲＯＭを確実に排出できる。
【００９０】
また、ねじりスプリング２２の一端部２４が前面１０ａを覆う状態の操作表示ユニット３を付勢する。このため、操作表示ユニット３などに設けられる表示部５などに各種の情報を表示したり押しボタン１８を操作する際に、自動車の走行中などに生じる振動により、操作表示ユニット３が機器本体２に対し振動されることを防止できる。
【００９１】
また、操作表示ユニット３が前面１０ａを覆う状態にあるときのみ、ねじりスプリング２２の一端部２４が操作表示ユニット３を付勢する。このため、操作表示ユニット３が前面１０ａを覆う状態から該前面１０ａの少なくとも一部を開放する状態に向かって移動する際に、該操作表示ユニット３の移動を妨げる摩擦力を抑制できる。したがって、操作表示ユニット３を移動させる際に必要となるモータ２７のトルクを抑制でき、モータ２７の大型化を抑制できる。したがって、モータ２７が消費する消費電力を抑制できるとともに低コスト化を図ることができる。
【００９２】
さらに、駆動機構４が、操作表示ユニット３の下端部３ａが前面１０ａから前方に移動するにしたがって、該下端部３ａの前方に移動する速度が徐々に遅くなって、操作表示ユニット３の傾く際の角速度が一定となる構成である。このため、操作表示ユニット３の第１の位置から第２の位置に向かう際に傾く角速度が、第１の位置から第２の位置に向かうにしたがって徐々に速くなることを抑制できる。したがって、使用者のアングルボタンなどの操作毎に操作表示ユニット３の傾く角度のバラツキをなくすことができ、使用者に不快感を与えることを防止でき、該使用者が容易に操作表示ユニット３の向きを調整できるようになる。
【００９３】
駆動機構４が、スライドフレーム３１と、モータ２７により回転されかつ円弧状の孔３４が形成されたカム歯車２９と、機器本体２に一端が回転自在に支持されかつ他端がスライドフレーム３１と連結されているとともに孔３４に侵入する突起部３５を設けたアーム部材３０とを備えている。このため、モータ２７によりカム歯車２９が回転すると、孔３４内を突起部３５が移動してアーム部材３０がシャーシ１０に対して回転する。そして、スライドフレーム３１が前面１０ａから前方に移動したり機器本体２の内部方向に移動する。突起部３５が、孔３４内を移動するので、カム歯車２９の回転する角度よりアーム部材３０の回転する角度が小さくなる。
【００９４】
また、孔３４がカム歯車２９の回転中心から外縁まで延びた円弧状に形成されている。さらに、孔３４の曲率半径ｒ１，ｒ２，ｒ３が外縁に向かうにしたがって徐々に大きくなっている。また、第１の位置では、突起部３５が孔３４の回転中心寄りに位置し、第２の位置では突起部３５が孔３４の外縁寄りに位置する。操作パネル３の下端部３ａが前面１０ａから前方に移動するにしたがって、突起部３５がカム歯車２９の回転中心から外縁に向って徐々に移動する。このため、操作表示ユニット３の下端部３ａが前方に移動するのにしたがって、突起部３５の外縁に向かう速度が徐々に遅くなり、アーム部材３０の回転速度が徐々に遅くなる。
【００９５】
したがって、操作表示ユニット３の下端部３ａが前面１０ａから前方に移動するにしたがって、該下端部３ａの移動する速度が確実に徐々に遅くなる。このため、操作表示ユニット３の第１の位置から第２の位置に向かう際に傾く速度が、第１の位置から第２の位置に向かうにしたがって徐々に速くなることを確実に抑制できる。したがって、使用者のアングルボタンなどの操作毎に操作表示ユニット３の傾く角度のバラツキをより確実になくすことができ、使用者に不快感を与えることをより確実に防止でき、該使用者がより容易に操作表示ユニット３の向きを調整できるようになる。
【００９６】
また、モータ２７に出力する駆動電圧が一定であるので、簡便な構成で操作表示ユニット３の傾く際の角速度が徐々に速くなることを防止でき、操作表示ユニット３の傾く際の角速度を確実に一定にできる。したがって、モータ２７の回転数を操作表示ユニット３の傾きに応じて変化させる場合と比較して、多機能電子機器１の低コスト化を図ることができる。
【００９７】
前述した実施形態では、多機能電子機器１は、ＣＤプレーヤ６とＭＤプレーヤ７とＣＤ−ＲＯＭプレーヤ８とを内蔵して、ＣＤ、ＭＤ、ＣＤ−ＲＯＭを再生する。しかしながら、本発明の電子機器は、ＣＤ、ＭＤ、ＣＤ−ＲＯＭ以外の他の記録媒体を再生可能な再生装置を内蔵しても良いことは勿論である。
【００９８】
前述した実施形態では、操作表示ユニット３の表示部５に押しボタン１９を複数設けている。しかしながら、本発明では、表示部５に所謂タッチスイッチ（タッチパネルとも呼ぶ）を設けても良いことは勿論である。
【００９９】
【発明の効果】
以上説明したように請求項１に記載の本発明によれば、機器本体の一つの面を覆う状態では操作パネルが上端部を中心として回転自在とれる。このため、操作パネルの向き（角度）を調整する際に、操作パネルの表面を使用者の指先に近づかせることができる。このため、操作パネルの向きを調整する際に、指先を操作パネルに向かって動かす必要がなくなり、操作性が向上する。
【０１００】
一端部が操作パネルの下端部を支持する支持アームが、中央部を中心として回転自在に支持されている。また、支持アームは、駆動源により一つの面から前方に移動される。一つの面を覆う状態では、操作パネルが上端部を中心として回転自在とされる。支持アームの他端部を案内する第１のガイド部が、支持アームが一つの面から前方に移動するにしたがって支持アームの他端部を徐々に降下させる第１の傾斜部を備えている。
【０１０１】
このため、機器本体の一つの面を覆う状態で、支持アームを一つの面から前方に移動させると、支持アームの他端部が徐々に降下して一端部が徐々に上昇する。このため、簡易な構成により、操作パネルを上端部を中心として回転させることができる。
【０１０２】
請求項２に記載の本発明によれば、水平部が第１の傾斜部より機器本体の内部側に設けられかつ支持アームの他端部を水平方向に案内する。このため、操作パネルを傾ける際に、操作パネルが一旦機器本体から水平前方に移動され、操作パネルの上端部が若干鉛直方向に降下される。このため、操作パネルの上端部を中心として回転する際に、該上端部と機器本体とが干渉することを防止できる。したがって、操作性を向上できることにくわえ、操作パネルの向きを確実に変更できる。
【０１０３】
請求項３に記載の本発明によれば、一つの面を覆う状態から該一つの面の少なくとも一部を開放する状態に向かって操作パネルが移動する際に、操作パネルの上端部が一つの面に沿ってスライド自在となる。支持アームの他端部を案内する第１のガイド部が、支持アームが一つの面から前方に移動するにしたがって支持アームの他端部を徐々に上昇させる第２の傾斜部を備えている。この第２の傾斜部は、第１の傾斜部より機器本体の一つの面寄りに配されている。
【０１０４】
このため、操作パネルが機器本体の一つの面を覆う状態から該一つの面の少なくとも一部を開放する状態に向かって、支持アームを一つの面から前方に移動させると、支持アームの他端部が徐々に上昇して一端部が徐々に降下する。このため、操作パネルの下端部が一つの面から前方に移動するにしたがって徐々に降下するとともに、操作パネルの上端部が一つの面に沿って徐々に降下する。このため、操作パネルは、一つの面の少なくとも一部を確実に開放できる。したがって、操作性を向上できることにくわえ、操作パネルは、一つの面の少なくとも一部をより一層確実に開放できる。
【０１０５】
請求項４に記載の本発明によれば、付勢手段が一つの面を覆う状態の操作パネルを付勢する。このため、操作パネルなどに設けられる表示部などに各種の情報を表示したり操作パネルなどに設けられる各種のスイッチなどを操作する際に、自動車の走行中などに生じる振動により、操作パネルが機器本体に対して振動することを防止できる。
【０１０６】
また、操作パネルが一つの面を覆う状態にあるときのみ、付勢手段が操作パネルを付勢する。このため、操作パネルが一つの面を覆う状態から該一つの面の少なくとも一部を開放する状態に向かって移動する際に、該操作パネルの移動を妨げる摩擦力を抑制できる。したがって、操作性を向上できることにくわえ、操作パネルを移動させる際に必要となるトルクを抑制でき、駆動源の大型化を抑制できる。したがって、駆動源が消費する消費電力を抑制できるとともに低コスト化を図ることができる。
【図面の簡単な説明】
【図１】本発明の一実施形態にかかる多機能電子機器の外観を示す斜視図である。
【図２】図１に示された多機能電子機器の操作表示ユニットが第２の位置に変位した状態を示す斜視図である。
【図３】図１に示された多機能電子機器の操作表示ユニットが第３の位置に変位した状態を示す斜視図である。
【図４】図１に示された多機能電子機器の駆動機構などを示す斜視図である。
【図５】図１に示された位置に操作表示ユニットが位置づけられた状態での駆動機構などの状態を示す平面図である。
【図６】図３に示された位置に操作表示ユニットが位置づけられた状態での駆動機構などの状態を示す平面図である。
【図７】図１に示された位置に操作表示ユニットが位置づけられた状態での支持アームなどの状態を示す側面図である。
【図８】図２に示された位置に操作表示ユニットが位置づけられた状態での支持アームなどの状態を示す側面図である。
【図９】図３に示された位置に操作表示ユニットが位置づけられた状態での支持アームなどの状態を示す側面図である。
【図１０】図１に示された多機能電子機器の前面と立設壁とを分解して示す正面図である。
【図１１】図７中の矢印ＸＩ方向からみた平面図である。
【図１２】従来の電子機器としてのカーステレオの外観を示す斜視図である。
【図１３】図１２に示されたカーステレオの操作表示ユニットが前面の一部を開放した状態を示す斜視図である。
【図１４】図１２中のＡ−Ａ線に沿った断面図である。
【図１５】図１３中のＢ−Ｂ線に沿った断面図である。
【符号の説明】
１  多機能電子機器（電子機器）
２  機器本体
３  操作表示ユニット（操作パネル）
３ａ  下端部
３ｂ  上端部
４  駆動機構（駆動手段）
１０ａ  前面（一つの面）
１３  ガイド孔（第１のガイド部）
１４  直線部（水平部）
１５  第１の傾斜部
１６  第２の傾斜部
１７  ガイド溝（第２のガイド部）
２４  一端部（付勢手段）
２７  モータ（駆動源）
３２  支持アーム
３２ａ  一端部
３２ｂ  他端部
４０  ガイド部材
【図１】
0003936590.tif 000002
【図２】
0003936590.tif 000003
【図３】
0003936590.tif 000004
【図４】
0003936590.tif 000005
【図５】
0003936590.tif 000006
【図６】
0003936590.tif 000007
【図７】
0003936590.tif 000008
【図８】
0003936590.tif 000009
【図９】
0003936590.tif 000010
【図１０】
0003936590.tif 000011
【図１１】
0003936590.tif 000012
【図１２】
0003936590.tif 000013
【図１３】
0003936590.tif 000014
【図１４】
0003936590.tif 000015
【図１５】
0003936590.tif 000016